(57)【要約】【課題】  硬質性素材からなるケース本体及び可撓性素材からなるケースカバーを組合わせ、持ち運びの容易性及び付属品等の収容性に優れた彫刻刀ケースの提供を課題とする。【解決手段】  彫刻刀ケース１は、彫刻刀２ａ等を一つのセットとして纏めて収容可能なケース本体３と、該ケース本体３を内包可能なケースカバー４と、ケースカバー４の閉塞カバー５によるケース本体３に開口した挿入口６の閉塞を保持する閉塞保持部７とを具備する。ここで、ケース本体３はＡＢＳ樹脂によって形成され、ケースカバー４は可撓性を有するナイロン布によって形成されている。そして、ケースカバー４は、従来の彫刻刀ケースのバックとしての機能を兼ね備えている。これにより、持ち運び性が向上し、かつ省資源化を進めることができる。【選択図】        図１
2006061246.tif 000002
【特許請求の範囲】
【請求項１】
硬質性素材によって形成され、彫刻刀が挿入される挿入口及び前記挿入口に連通し、複数の前記彫刻刀を収容可能な収容空間を有する略筐体形状のケース本体と、
可撓性素材によって形成され、前記ケース本体の外周形状に略一致する内周形状を有し、前記ケース本体の少なくとも一部を内包して被覆する袋状のカバー本体、及び前記カバー本体から延設され、前記挿入口に向かって曲折させて前記挿入口を閉塞可能な閉塞カバーを備えるケースカバーと、
前記閉塞カバーの先端及び前記カバー本体を連結し、前記閉塞カバーによる前記挿入口の閉塞状態を保持する閉塞保持手段と
を具備することを特徴とする彫刻刀ケース。
【請求項２】
前記カバー本体による前記ケース本体の内包状態を固定する固定手段をさらに具備することを特徴とする請求項１に記載の彫刻刀ケース。
【請求項３】
前記収容空間に収容された前記彫刻刀の把持部と当接し、前記ケース本体の背面部に対し、前記彫刻刀の刃先を下方に傾斜させた状態で支持する傾斜支持リブをさらに具備することを特徴とする請求項１または請求項２に記載の彫刻刀ケース。
【発明の詳細な説明】
【技術分野】
【０００１】
本発明は、彫刻刀ケースに関するものであり、特に、硬質樹脂等の素材からなる筐体状のケース本体及び該ケース本体を内包するケースカバーを一体化して形成した彫刻刀ケースに関するものである。
【背景技術】
【０００２】
従来から、小学校や中学校等の美術や図画工作の授業において、児童に対して版画や彫塑などの制作課題を課すことがある。このとき、木板の版画面を切削加工する目的で、刃物の一種である彫刻刀が用いられている。ここで、授業で刃物類を取扱うことは、刃物類の扱いに不慣れな児童にとっては非常に危険な作業であり、その使用及び未使用時の保管に関して教師らは十分な注意を行う必要がある。
【０００３】
また、版画等の制作をする上で、児童の表現性や創作性を十分に発揮させるために、複数の彫刻刀をその機能または用途に応じて使い分けることがあり、一般に複数の彫刻刀をセットにした彫刻刀セットを児童は用いることが多かった。そして、これらの彫刻刀セットが教具販売会社によって販売されていた。ここで、彫刻刀セットの一般的な構成について例示すると、切出刀、平刀、丸刀、三角刀、及び小丸刀の五本の彫刻刀を一つのセットとするものがある。そして、これらの彫刻刀を持ち運ぶ際には、ケース本体及び蓋部をプラスチック樹脂によって構成した彫刻刀ケースに収容し、刃先が外部に直接晒されないようにして、ケガなどの危険性を可能な限り小さくしている。
【０００４】
上記の技術は、当業者において当然実施されているものであり、出願人は本願出願時において、上記技術が記載されている文献を特に知見していない。
【発明の開示】
【発明が解決しようとする課題】
【０００５】
ところで、上述の彫刻刀ケースの場合、刃先によるケガを防止するために、硬いプラスチック樹脂が利用されていた。そのため、下記に掲げるような問題点を生じることがあった。すなわち、係る彫刻刀ケースは、一般に略筐体形状を呈して形成され、蓋部の一部を、透明性を呈する樹脂によって形成し、彫刻刀の刃先の種類を視認できるようにし、その他の部分を黒やグレーなどに着色された樹脂で成型されていた。そして、成型加工の困難さ、或いは金型コストのアップなどの要因によって、持ち運びの為の持手部（把持部、取っ手）等が設けられることはほとんどなかった。その結果、手の小さい児童などは、彫刻刀ケースを把持し、持ち運びする際に不便さを感じることがあった。
【０００６】
特に、登下校の際や、自分の教室から授業が実施される美術教室までの移動時において、上述の不便さによって把持した手から滑り落ち、廊下の床面等に落下させてしまうことがあった。そのため、彫刻刀ケースの一部が落下の衝撃によって欠落したり、ヒビ割れなどの破損を生じたり、彫刻刀の刃先が欠けるなどのダメージを受ける可能性もあった。また、これらの彫刻刀ケースは、彫刻刀以外の付属品（例えば、図画工作の授業の際に彫刻刀と一緒に利用するバレンやコンテなど）を併せて収容するためのスペースを彫刻刀ケースの肥大化する要因となるため構築することができなかった。そのため、児童らはこれらを個別に持ち運びする必要があり、付属品を自宅等に忘れ、授業等に支障を来す場合があった。
【０００７】
そこで、上述したプラスチック製の彫刻刀ケースの他に、彫刻刀ケース全体を内包し収容可能なナイロン地などの布製素材によって形成された彫刻刀ケース専用のバッグが販売されていた。このバッグは、前述の付属品等を収納するための収納スペースと、持ち運びを容易とするための帯紐状の持手部とが設けられ、運搬性及び物品の収容性などの問題をクリアすることができた。ところが、係るケースカバーは、一般に彫刻刀ケースとは別売りで教具会社から販売されるケースが多く、児童の保護者はこれらのケースカバーは彫刻刀ケースとともに購入する必要があった。そのため、保護者に対して多大な金銭的負担を課すことがあった。
【０００８】
そこで、本発明は、上記実情に鑑み、硬質性素材からなるケース本体と、可撓性素材からなるケースカバーを一体化して形成し、持ち運びの容易性及び付属品等の収容性の問題を解消可能な彫刻刀ケースの提供を課題とするものである。
【課題を解決するための手段】
【０００９】
上記課題を解決するため、本発明にかかる彫刻刀ケースは、「硬質性素材によって形成され、彫刻刀が挿入される挿入口及び前記挿入口に連通し、複数の前記彫刻刀を収容可能な収容空間を有する略筐体形状のケース本体と、可撓性素材によって形成され、前記ケース本体の外周形状に略一致する内周形状を有し、前記ケース本体の少なくとも一部を内包して被覆する袋状のカバー本体、及び前記カバー本体から延設され、前記挿入口に向かって曲折させて前記挿入口を閉塞可能な閉塞カバーを備えるケースカバーと、前記閉塞カバーの先端及び前記カバー本体を連結し、前記閉塞カバーによる前記挿入口の閉塞状態を保持する閉塞保持手段と」を具備して主に構成されている。
【００１０】
ここで、硬質性素材とは、例えば、ポリプロピレン樹脂、ＡＢＳ樹脂などの従来から周知のプラスチック樹脂等が相当し、これらを用いて筐体形状のケース本体の成型加工が行われている。なお、このケース本体は前面、背面、左側面、右側面、及び底面が上述の硬質性素材によって形成され、上面が開口して設けられている。そして、係る上面の開口した部分（挿入口に相当）から彫刻刀が挿入される。これにより、ケース本体に収容された彫刻刀は、周囲を硬質性素材によって包囲されているため、刃先に直接触れることができず、彫刻刀を使用していない状態のときのケガの危険性を大幅に回避することができる。係る場合、ケース本体の内壁面に刃先が当接しないように、ケース本体の内部にいくつかの突部を設け、既存の彫刻刀ケースのように刃先が収容空間に浮いた状態が創出されている。また、挿入口の近傍には、使用時に該ケース本体から彫刻刀を取出し易いように、彫刻刀の把持部の一部が視認可能に形成されている。
【００１１】
一方、ケースカバーを構成する可撓性素材とは、主として、柔軟に変形可能な布製素材が相当するものであり、例えば、麻、毛、綿などの天然繊維、或いはポリプロピレン繊維やナイロン繊維などの合成繊維から形成されているものが挙げられる。また、鞄や靴等に利用される皮革等であっても構わない。なお、これらのケースカバーは、主に児童が使用することを想定し、換言すれば、有る程度の乱雑な取扱を考慮した上で、高強度性を有する素材で形成されていることが好ましい。そのため、高強度及び防水性に富み、アウトドア製品に多用されているナイロン布を使用することが特に好適である。係る素材は、有る程度の柔軟性に富み、かつ縫製等の加工が容易であり、また前述したアウトドア製品などに多く採用されているものであり、製造コストも低い利点を有している。そのため、ケースカバーを製作する際のコストを低く抑えることができる。
【００１２】
加えて、閉塞保持手段とは、閉塞カバーを挿入口に向かって曲折し、さらに閉塞カバーの一端と、カバー本体の一部と接続し、挿入口の閉塞状態を保持するものである。これにより、挿入口が閉塞され、ケース本体に収容された彫刻刀の飛び出しを防ぐことが可能となる。すなわち、閉塞カバー及び閉塞保持手段によって、従来の彫刻刀ケースの蓋部の機能を果たすものである。ここで、閉塞保持手段は、特に限定されないが、例えば、閉塞カバー及びカバー本体が当接する互いの位置に既存の面接着布（面ファスナー）等を設けるものや、鞄製品などの用いられている蓋部の係止用フックなどの係止部材を用いることが可能である。
【００１３】
したがって、本発明の彫刻刀ケースによれば、ケース本体及び該ケース本体を内包可能なカバー本体を有するケースカバーをそれぞれ異なる素材を用いて形成されている。ここで、ケース本体は、従来と同様に硬質性素材を用いることにより、彫刻刀の収容時における刃先からの安全性を保持することができる。一方、ケースカバーは、ケース本体を内包し、被覆するとともに、閉塞カバー片によってケース本体の挿入口を閉塞し、収容された彫刻刀が収容空間から外部に飛出すことを防止する蓋部の機能を有している。すなわち、既存の彫刻刀ケースに設けられていた主に透明性を呈する樹脂から形成されていた蓋部の構成を省略して、彫刻刀ケースの構成を簡略化するとともに、従来と同じような安全性を有することができる。なお、閉塞カバーによって挿入口が閉塞されると、内部に収容された彫刻刀の把持部の一端が該閉塞カバーの内側面と当接する。これにより、彫刻刀の挿入口に対する挿脱方向が規制されるため、彫刻刀が容易に収容空間から飛出すことがない。
【００１４】
その結果、従来のように、彫刻刀ケースを収容するための彫刻刀専用バックを別途購入する必要がなく、さらに、落下の際の衝撃がケースカバーによって緩衝されるため、破損の可能性が低くなる。また、閉塞カバーの閉塞状態を解除することにより、彫刻刀を容易に収容空間から取り出すことができる。
【００１５】
さらに、ケースカバーに、帯状部材を環状に形成したもの、或いは携帯電話等の使用で普及している所謂「ストラップ」等の持手部を取設することにより、さらに持運びの利便性が向上し、落下等のおそれをさらに低減させることができる。
【００１６】
加えて、カバー本体または閉塞カバーにポケット部を設けることにより、前述した付属品等の物品を収容することが可能となる。これにより、従来はそれぞれ個別で持運びを行っていた物品を纏めることが可能となり、児童等の利便性が向上し、忘れ物などの発生を抑えることができる。この場合、可撓性素材のケースカバーの一部として形成されるため、彫刻刀ケースのサイズが肥大することがない。
【００１７】
さらに、本発明にかかる彫刻刀ケースは、上記構成に加え、「前記カバー本体による前記ケース本体の内包状態を固定する固定手段を」さらに具備するものであっても構わない。
【００１８】
したがって、本発明の彫刻刀ケースによれば、固定手段によってケース本体及びカバー本体の挿脱が規制される。これにより、使用時にケース本体及びケースカバーが分離することがなく、収容された彫刻刀が不用意に飛び出すような状況を回避することが可能となる。また、固定手段とは、特に限定されないが、例えば、ケース本体及びカバー本体の互いに相対する数カ所の位置にそれぞれ貫設孔を設け、係る貫設孔にカシメを挿入し、固定するものなどが挙げられる。なお、この場合、少なくとも一カ所若しくは二カ所程度で固定すれば、カバー本体からのケース本体の挿脱を規制する目的が比較的簡易に達成される。そのため、係る固定にそれほど労力を要することがない。また、その他の固定手段として、従来から周知のボルト及びナットの螺合によるもの、前述した面ファスナーを利用するもの、或いは粘着テープなどを利用するものなどが例示される。
【００１９】
さらに、本発明にかかる彫刻刀ケースは、上記構成に加え、「前記収容空間に収容された前記彫刻刀の把持部と当接し、前記ケース本体の背面部に対し、前記彫刻刀の刃先を下方に傾斜させた状態で支持する傾斜支持リブを」さらに具備するものであっても構わない。
【００２０】
したがって、本発明の彫刻刀ケースによれば、例えば、ケース本体の背面部を下にして載置面に載置すると、ケース本体に収容された彫刻刀は、傾斜支持リブに把持部の一部が当接する。これにより、傾斜支持リブに支持された箇所を支点として、把持部（特に端部）がケース本体の底面部から浮いた状態となり、かつケース本体に収容された彫刻刀の刃先は、収容空間内で下方に向かって傾斜した状態となる。そのため、彫刻刀の使用時に、収容空間から抜出す操作が容易となる。加えて、係る傾斜支持リブが収容された彫刻刀の移動を制限することとなり、彫刻刀の挿脱方向への移動がさらに規制される。そのため、収容空間から不用意に飛び出す危険性が低下し、本発明の彫刻刀ケースの安全性がさらに確保される。
【発明の効果】
【００２１】
本発明の彫刻刀ケースによれば、ケース本体及びケースカバーをそれぞれ異なる素材によって形成し、従来から用いられている彫刻刀ケース専用のバックの機能をケースカバーに持たせることができる。さらに、従来の彫刻刀ケースの蓋部の構成を、ケースカバーの閉塞カバーによって省略することができる。また、ポケット部を設けることにより、彫刻刀以外の物品（付属品）を収納し、同時に持ち運びが可能になる。さらに、落下時の衝撃をケースカバーによって緩衝し、ケース本体等の破損を防ぐことができる。
【発明を実施するための最良の形態】
【００２２】
以下、本発明の一実施形態の彫刻刀ケース１について、図１乃至図５に基づいて説明する。ここで、図１は本実施形態の彫刻刀ケース１の構成を示す斜視図であり、図２は彫刻刀ケース１の構成を示す分解斜視図であり、図３は彫刻刀ケース１の構成を示す正面図であり、図４は彫刻刀ケース１の構成を示す背面図であり、図５は彫刻刀ケース１の構成を示すＡ−Ａ断面図である。
【００２３】
本実施形態の彫刻刀ケース１は、図１乃至図５に示すように、刃先１３がそれぞれ異なる五本の彫刻刀２ａ，２ｂ，２ｃ，２ｄ，２ｅを一つのセットとして纏めて収容可能なケース本体３と、該ケース本体３の略全体を内包可能なケースカバー４と、ケースカバー４の閉塞カバー５によって閉塞されるケース本体３の挿入口６の閉塞状態を保持する閉塞保持部７とを主に具備して構成されている。ここで、閉塞保持部７が本発明における閉塞保持手段に相当する。
【００２４】
ここで、ケース本体３は、五本の彫刻刀２ａ等が挿入される挿入口６、及び該挿入口６に連通し、内部に彫刻刀２ａ等をそれぞれ並列して収容可能な収容空間８を有している。さらに詳細に説明すると、ケース本体３は、前面部９ａ、背面部９ｂ、左側面部９ｃ、右側面部９ｄ、及び底面部９ｅによって略筐体形状に形成され、上面が開口した構造を呈し、硬質のＡＢＳ樹脂によって構築されている。ここで、本実施形態において、紙面対向側がケース本体３の前面に相当し、紙面奥行側が背面に相当し、紙面左方向が左側面に相当する（以下、右側面、底面、及び上面については記載を省略する）。ここで、ＡＢＳ樹脂が本発明の硬質性素材に相当する。
【００２５】
そして、前述した左側面部９ｃ及び右側面部９ｄは、背面部９ｂの上端から前面部９ａに向かって斜め下に向かって傾斜した傾斜辺を有する台形状をそれぞれ呈しており、前面部９ａ，背面部９ｂ，及び左右の側面部９ｃ，９ｄの各々の上端によって前述した挿入口６が形成されるようになっている。
【００２６】
加えて、ケース本体３の背面部９ｂの内面側（収容空間８に対向する面に相当）には、収容された彫刻刀２ａ等が互いに左右方向（横方向）へ移動することを規制する仕切板１０が突設されている（図２等参照）。また、収容された彫刻刀２ａ等の把持部１１と当接可能な傾斜支持リブ１２がケース本体３の挿入口６の近傍にそれぞれ設けられている。なお、収容される彫刻刀２ａ等の把持部１１には、刃先１３の違いによってそれぞれ異なるマーク１４が設けられ、収容されるケース本体３の挿入口６の近傍に位置する背面部９ｂにも同種のマーク１４が設けられる。係るマーク１４によって、彫刻刀２ａ等を収容する際の収容位置を児童等に指し示すことができる。
【００２７】
一方、ケースカバー４は、上述したケース本体３の外周形状に略一致するような内周形状を有して形成され、ケース本体３を内包して被覆可能な袋形状のカバー本体１５と、カバー本体１５の開口した本体口１５ａの一部から延設され、内包されたケース本体３の挿入口６を閉塞するために、背面部９ｂの上端で曲折可能な可撓性素材のナイロン布によって形成された舌片状の閉塞カバー５とから主に構成されている。これにより、閉塞カバー５によってケース本体３の挿入口６を被覆するようにして閉塞することができる。すなわち、該閉塞カバー５は収容空間８に収容された彫刻刀２ａ等の飛び出しを防ぐ蓋部の機能を有している。
【００２８】
さらに、カバー本体１５の前面は、ナイロン布を二重に重ね、物品（付属品）が挿込まれるポケット口１６及び該ポケット口１６に連通したポケット空間１７が形成されるポケット部１８が構築されている。加えて、カバー本体１５の右側面には、ケースカバー４に収容されたケース本体３の持運び性を向上とするための帯環状の持手部１９が取付けられている。この持手部１９を使用者が把持することによって、彫刻刀ケース１を持ち運びすることができる。
【００２９】
加えて、図４に示すように、ケース本体３とケースカバー４との間は、互いに相対する位置に設けられた貫通孔２０ａ，２０ｂに挿通され、固定された金属製のカシメ２０が二カ所に取付けられている。ここで、カシメ２０が本発明における固定手段に相当する。これにより、ケース本体３及びケースカバー４の内包状態が強固に連結され、使用時においてケース本体３がケースカバー４から容易に抜脱されることがない。
【００３０】
さらに、閉塞保持部７は、その具体的な構成として、図１及び図２等に示すように、閉塞カバー５の先端５ａに設けられ、押圧操作によって爪高さが変位する爪部２１を有する係止部２２と、カバー本体１５の前面に設けられ、爪部２１と係合可能な爪受部２３を備える係止受部２４とによって構成されている。ここで、本実施形態の彫刻刀ケース１で用いられる閉塞保持部７は、従来から鞄等に利用される周知の部材であり、ここでは閉塞保持部７の構成及び開閉動作に係る詳細な説明は省略する。
【００３１】
次に、本実施形態の彫刻刀ケース１の使用の一例について説明を行う。ここで、本実施形態の彫刻刀ケース１は、刃先１３の異なる五本の彫刻刀（切出刀２ａ、平刀２ｂ、丸刀２ｃ、三角刀２ｄ及び小丸刀２ｅ）をケース本体３の収容空間８に収容するものについて例示する。はじめに、ケースカバー４の閉塞カバー５を跳上げ、ケース本体３の挿入口６を外部から視認可能なように開状態にする。そして、それぞれの彫刻刀２ａ等を把持部１１及び背面部９ｂに記されたマーク１４に合致させるようにして、刃先１３の部分から挿入口６に向かって挿入する。このとき、収容空間８は、仕切板１０によって互いに隣合う彫刻刀同士（例えば、切出刀２ａ及び平刀２ｂ）が接触しないように仕切られ、該仕切板１０がガイドとなって彫刻刀２ａ等の挿脱方向に速やかに挿入される。そして、係る挿入動作を五本の彫刻刀２ａ等に対して実施することにより、ケース本体３の収容空間８に全て収容される。このとき、彫刻刀２ａ等は、周囲を硬質性素材のＡＢＳ樹脂からなるケース本体３によって包囲されているため、この状態で刃先１３に触れ、児童等がケガをするようなことはない。なお、該刃先１３は、図４等に示されるように、収容空間８に浮遊した状態、換言すれば、ケース本体３の各面部９ａ等に当接していない。そのため、刃先１３の部分を痛めることもない。
【００３２】
加えて、ケース本体３の背面部９ｂから突設された傾斜支持リブ１２によって、収容された彫刻刀２ａ等は、把持部１１の一部を支持することによって端部が浮き上がった状態で収容されている。そのため、ケース本体３から彫刻刀２ａ等を抜出す際に、浮いた空間に指を入れ、把持が容易となるため、彫刻刀２ａ等の抜出操作が容易となる。
【００３３】
その後、閉塞カバー５をケース本体３の背面部９ｂの上端から折曲げる。このとき、閉塞カバー５は可撓性素材のナイロン布で形成されているため、折曲げは容易に行える。さらに、ナイロン布は、アウトドア製品等に多く利用され、強靱な力学的特性を備えているため、ケースカバー４としての機能を十分に果たすことができる。そして、ケース本体３の挿入口６を閉塞するために、閉塞カバー５の先端に設けられた係止部２２の爪部２１をカバー本体１５に取設された係止受部２４の爪受部２３に通す。このとき、爪部２１は、バネ部材によって爪高さが付勢されているため、係るバネ部材の弾性力に抗する力で爪部２１を押圧することによって爪高さが変化する。そして、爪受部２３を通過した後は、再びバネ部材によって元の爪高さまで復帰する。これにより、閉塞カバー５によってケース本体３の挿入口６が閉塞され、かつ閉塞保持部７によって係る状態が保持される。このとき、閉塞カバー５のカバー内面５ｂは、ケース本体３に収容された彫刻刀２ａ等の把持部１１の一部と当接している。そのため、この状態で彫刻刀２ａ等を抜出すことが禁止され、閉塞カバー５が従来の彫刻刀ケースにおける蓋部の機能を果たすことになる。
【００３４】
加えて、上述の閉塞状態において、閉塞カバー５のカバー内面５ｂと、ケース本体３の傾斜支持リブ１２によって彫刻刀２ａ等の把持部１１が上下方向から挟まれた状態になっている。そのため、さらに彫刻刀２ａ等の収容空間８からの抜出しが抑制され、不用意に彫刻刀２ａ等が外部に飛び出すようなことがない。その結果、仮に彫刻刀ケース１を逆さにした場合であって容易に落下することがなくなり、彫刻刀ケース１の安全性がさらに確保される。なお、彫刻刀２ａ等の把持部１１をゴム製素材で形成することにより、傾斜支持リブ１２との間の摩擦力によって上述の効果がさらに高くなる。
【００３５】
なお、彫刻刀２ａ等を収容空間８から抜出す際には、閉塞保持部７による係合状態を前述と逆の操作によって解除し、閉塞カバー５を跳ね上げて挿入口６の閉塞状態を解除し、手指で把持部１１を把持することによって抜出すことができる。
【００３６】
以上述べたように、本実施形態の彫刻刀ケース１は、硬質性素材からなるケース本体３及び可撓性素材からなるケースカバー４を一体化して形成することにより、従来は個別に購入していた彫刻刀ケース１及び彫刻刀ケース専用のバックを纏めることができる。そして、可撓性素材からなるケースカバー４によって、ケース本体３に加えられる落下時の衝撃等を緩和し、欠落や破損等を防ぐことができる。さらに、従来の彫刻刀ケースに用いられる蓋部（硬質性素材で形成）の構成を省略し、ケースカバー４の閉塞カバー５にその機能を果たさせることができる。これにより、硬質性素材の使用比率を低くし、省資源化を進めることができる。その結果、不燃ゴミとして排出されるゴミ量を低減化することができる。加えて、従来は収納スペースの関係から設置されていなかったポケット部１８が設けられるため、彫刻刀２ａ等以外の付属品を同時に持ち運びすることができる。さらに、ケースカバー４に取設された持手部１９によって従来の彫刻刀ケースに比べて、持ち運びの容易性を向上させることができる。
【００３７】
以上、本発明について好適な実施形態について例示したが、本発明は係る実施形態に限定されるものではない。以下に示すように、本発明の要旨を逸脱しない範囲において、種々の改良及び設計の変更が可能である。
【００３８】
すなわち、本実施形態の彫刻刀ケース１は、カシメ２０を固定手段として使用し、ケース本体３及びケースカバー４を固定するものを示したが、これに限定されるものではなく、その他の固定手段（例えば、面ファスナー等）を用いるもの、或いは固定手段を利用せず、ケース本体３及びケースカバー４を挿脱可能に設けるものであってもよい。係るケースカバー４の挿脱を可能とすることにより、例えば、ケースカバー４の表面が絵の具や墨などで汚れた場合でも、ケースカバー４のみを取り外し、洗濯などの洗浄を行うことができる。
【００３９】
さらに、本実施形態の彫刻刀ケース１では、ケース本体３の構造として、図２等に示すように、略筐体形状を呈し、ＡＢＳ樹脂によって一体成型したものを示したがこれに限定されるものではなく、その他の形状の構造を呈するものであっても構わない。加えて、彫刻刀ケース１に使用される原材料及び素材として、ＡＢＳ樹脂からなるケース本体３及びナイロン繊維からなるケースカバー４から主に形成されるものを示したが、これに限定されるものではなく、種々の形状のものを利用することができる。
【図面の簡単な説明】
【００４０】
【図１】彫刻刀ケースの構成を示す斜視図である。
【図２】彫刻刀ケースの構成を示す分解斜視図である。
【図３】彫刻刀ケースの構成を示す正面図である。
【図４】彫刻刀ケースの構成を示す背面図である。
【図５】彫刻刀ケースの構成を示すＡ−Ａ断面図である。
【符号の説明】
【００４１】
１  彫刻刀ケース
２ａ，２ｂ，２ｃ，２ｄ，２ｅ  彫刻刀（切出刀、平刀、丸刀、三角刀、小丸刀）
３  ケース本体
４  ケースカバー
５  閉塞カバー
６  挿入口
７  閉塞保持部（閉塞保持手段）
８  収容空間
１５  カバー本体
１８  ポケット部
１９  持手部
２０  カシメ（固定手段）
２１  爪部（閉塞保持手段）
２２  係止部（閉塞保持手段）
２３  爪受部（閉塞保持手段）
２４  係止受部（閉塞保持手段）
【図１】
2006061246.tif 000003
【図２】
2006061246.tif 000004
【図３】
2006061246.tif 000005
【図４】
2006061246.tif 000006
【図５】
2006061246.tif 000007